(57)【特許請求の範囲】
【請求項１】
電線接続部材に設けられる筒状部内に電線を挿入する際に用いられる電線挿入作業用具であって、
前記筒状部に圧接する圧接面をそれぞれ有し、一体となって前記筒状部を挟持する複数の挟持体と、
前記筒状部の端部開口に向かって狭まるテーパー形状の電線ガイド面をそれぞれ有し、前記筒状部の端部開口に向かって電線をガイドする複数のガイド体とを備え、
各挟持体と各ガイド体とは、それぞれ連結されて複数のガイド部材を構成し、
前記複数のガイド体のうちのいずれかは、他のガイド体よりも前記筒状部の軸方向寸法が長く形成されることを特徴とする電線挿入作業用具。
【請求項２】
前記ガイド体のうち少なくとも前記筒状部の端部開口の近傍部位は、透明に形成されることを特徴とする請求項１に記載の電線挿入作業用具。
【発明の詳細な説明】
【技術分野】
【０００１】
本発明は、電線挿入作業用具に関し、より詳しくは、電線接続部材に設けられる筒状部内に電線を挿入する際に用いられる電線挿入作業用具に関する。
【背景技術】
【０００２】
一般に、送電線を架設する場合には、スリーブなどの電線接続部材を用いて電線同士を連結する。かかる電線の連結においては、前記電線接続部材に設けられる筒状部内に該筒状部の端部開口から電線を挿入した後、前記電線が挿入された筒状部を圧縮工具等で圧縮して筒状部を塑性変形させることによって電線と電線接続部材とを接続する。
【０００３】
ところで、近年、配電線工事の際に停電範囲を小さく抑え、且つ、安全に効率良く作業を行うため、通電状態の電線に直接触れずに、「ストレーリングトング」や「やっとこ」などと呼ばれる間接活線作業用の絶縁操作棒等を使用して作業する「間接活線工法」が主流となっている。かかる絶縁操作棒は、作業者が感電するのを防止する観点から、基端側の操作部位から先端側の作業部位までは、所定の長さ（安全限界距離）以上が必要となり、その分、全長が長くなる。
【発明の開示】
【発明が解決しようとする課題】
【０００４】
しかしながら、前記筒状部の端部開口は、電線の細さと同程度の大きさであることから、上述のような間接活線工法によって遠隔的に電線の挿入作業を行う場合には、挿入されるべき電線の端部と前記端部開口との位置を合わせるのが困難となり、作業性が非常に悪いという問題がある。
【０００５】
そこで、本発明は、間接活線工法による作業であっても、電線接続部材に設けられる筒状部内に電線を容易に挿入することが可能な電線挿入作業用具を提供することを目的とする。
【課題を解決するための手段】
【０００６】
本発明に係る電線挿入作業用具は、電線接続部材に設けられる筒状部内に電線を挿入する際に用いられる電線挿入作業用具であって、前記筒状部に圧接する圧接面をそれぞれ有し、一体となって前記筒状部を挟持する複数の挟持体と、前記筒状部の端部開口に向かって狭まるテーパー形状の電線ガイド面をそれぞれ有し、前記筒状部の端部開口に向かって電線をガイドする複数のガイド体とを備え、各挟持体と各ガイド体とは、それぞれ連結されて複数のガイド部材を構成し、前記複数のガイド体のうちのいずれかは、他のガイド体よりも前記筒状部の軸方向寸法が長く形成されることを特徴とする。
【０００７】
上記構成からなる電線挿入作業用具によれば、前記ガイド体によって電線が筒状部の端部開口に向けてガイドされるため、電線の端部と前記端部開口とが容易に位置合わせされる。
【０００８】
また、かかる電線挿入作業用具によれば、前記ガイド体は、前記筒状部の端部開口に向かって狭まるテーパー形状の電線ガイド面を有するので、ガイド体に沿わされる電線は、前記テーパー形状に従って必然的に端部開口に向けてガイドされる。このため、挿入作業に際しては、前記端部開口よりも大きく拡がったガイド体の基端側の部位に電線をあてがえばよく、作業性がより向上する。
【０００９】
また、上記電線挿入作業用具によれば、前記各ガイド部材は、上述のような絶縁操作棒の先端側に設けられる固定あご及び／又は可動あごに着脱自在に取付可能なアダプターとして用いられ、必要に応じて種々の絶縁操作棒に取付可能となるため、電線挿入作業用具を汎用性の高いものとすることができ、延いては、絶縁操作棒自体をも汎用性の高いものとすることができる。また、前記複数のガイド体のうちのいずれかは、他のガイド体よりも前記軸方向寸法が長く形成されているため、ガイド体の一部が前記筒状部の軸方向に沿って前記端部開口から離間するように突出する電線挿入作業用具を容易に作製することができる。
【００１０】
また、上記電線挿入作業用具においては、前記ガイド体のうち少なくとも前記筒状部の端部開口の近傍部位は、透明に形成されるものであることが好ましい。このようにすれば、前記端部開口の近傍部位を視認することができるため、電線が前記端部開口に対してどの位置にあるかなど、作業状態を容易に把握することが可能となる。
【発明の効果】
【００１３】
以上のように、本発明によれば、前記ガイド体によって電線が筒状部の端部開口に向けてガイドされるため、電線と前記筒状部の端部開口との位置を合わせるのが容易となり、間接活線工法であっても、電線接続部材に設けられる筒状部内に電線を容易に挿入でき、作業性を向上させることができる。
【発明を実施するための最良の形態】
【００１４】
以下に、本発明に係る電線挿入作業用具の実施形態について、図面に基づいて説明する。
【００１５】
本実施形態に係る電線挿入作業用具は、図１に示すように、電線接続部材５０に設けられる筒状部５１内に電線Ｌを挿入する際に用いられる電線挿入作業用具１であり、図２に示すような長尺な絶縁操作棒７０の先端側に設けられる固定あご７１及び／又は可動あご７２に着脱自在に取付可能なアダプターとして構成されるものである。
【００１６】
電線挿入作業用具１に先立って、図２を用いて前記絶縁操作棒７０について説明すると、絶縁操作棒７０は、一般的に、間接活線工事の際に電線等を直接挟持（把持）すべく使用されるものである。具体的には、長尺な棒状の部位は、筒状に形成される外側部材と、該外側部材の内部に挿通される内側部材とで構成され、前記外側部材の先端側に前記固定あご７１が設けられ、前記内側部材の先端側に前記可動あご７２が設けられる。そして、前記内側部材を外側部材に対して回転させることで、内側部材に設けられた可動あご７２が外側部材に設けられた固定あご７１に対して接離する。なお、絶縁操作棒７０は、可動あご７２が電動のものであってもよい。
【００１７】
また、前記電線接続部材５０（図１参照）は、一般に「スリーブ」や「圧縮端子」などと呼ばれる部材である。電線接続部材５０が有する筒状部５１は、電線Ｌと接続されるための部位であり、筒状部５１の一端部には、電線Ｌを受け入れる開口（以下、端部開口）５２が形成される。そして、筒状部５１は、内部に電線Ｌが挿入された状態で圧縮工具等を用いて外周側から圧縮されて塑性変形することにより、電線Ｌと確実に接続されるものである。また、前記筒状部５１は、所定の外周半径を有するとともに、開口端面５３から内部に向かって縮径するテーパー部５４を端部開口５２の内側に備えており、端部開口５２に受け入れられた電線Ｌが該テーパー部５４に連通する電線収容部５５まで容易に導かれるようになっている。
【００１８】
なお、前記電線Ｌは、複数の線材を縒って一本にした導体の周りに絶縁体を被覆したいわゆる縒り電線であり、前記筒状部５１には、被覆が剥されて露出した導体部分が挿入される。ただし、前記電線挿入作業用具１及び電線接続部材５０は、縒り電線に限らず、いずれの種類の電線に対しても用いることができる。
【００１９】
さて、前記電線挿入作業用具１について説明する。電線挿入作業用具１は、図１に示すように、電線接続部材５０の前記筒状部５１を挟持する挟持部２４と、該挟持部２４に挟持された筒状部５１の端部開口５２に向かって電線Ｌをガイドする電線ガイド部３５とを備えるものである。前記挟持部２４は、筒状部５１に圧接した状態で該筒状部５１を挟持する。
【００２０】
具体的には、電線挿入作業用具１は、図３に示すように、前記電線接続部材５０の筒状部５１に圧接する圧接面２２をそれぞれ有し複数が一体となって前記筒状部５１を挟持する挟持体２０と、前記電線ガイド面３３をそれぞれ有し複数が一体となって前記電線ガイド部３５を構成するガイド体３０とを備えて構成され、各挟持体２０と各ガイド体３０とは、それぞれ連結されて複数のガイド部材１０を構成する。ここで、前記挟持体２０は、前記筒状部５１を挟持する機能と、前記あご７１，７２に取り付けられる機能とを有する部材であり、ガイド体３０は、前記電線Ｌをガイドする機能を有する部材である。なお、前記電線ガイド面３３が前記筒状部５１の端部開口５２に向かって電線Ｌをガイドする配置となるよう、前記挟持体２０とガイド体３０とは、例えばネジ等によって、筒状部５１の軸方向に沿って連結される。以下では、説明の便宜上、ガイド体３０が配置される側を前記軸方向に沿う一端側とし、挟持体２０が配置される側を前記軸方向に沿う他端側とする。
【００２１】
より具体的には、電線挿入作業用具１は、対向する一対のガイド部材１０，１０によって構成され、一方のガイド部材１０（第一ガイド部材１０Ａ）は、前記固定あご７１に取り付けられ、他方のガイド部材１０（第二ガイド部材１０Ｂ）は、前記可動あご７２に取り付けられる。なお、以下では、一対のガイド部材１０における同種の構成については、符号を共通させ、添え字のＡ，Ｂによって第一ガイド部材若しくは第二ガイド部材のいずれに属するものであるかを区別することとする。例えば、第一ガイド部材１０Ａは、挟持部２４Ａと電線ガイド部３５Ａとを備えるものであり、第二ガイド部材１０Ｂは、挟持部２４Ｂと電線ガイド部３５Ｂとを備えるものである。
【００２２】
前記各挟持体２０Ａ，２０Ｂは、図４に示すように、前記各ガイド部材１０Ａ，１０Ｂを前記各あご７１，７２に取り付けた際に互いに対向する部分（以下、対向部分）２１Ａ，２１Ｂに、前記圧接面２２Ａ，２２Ｂが備えられる。該圧接面２２Ａ，２２Ｂは、前記電線接続部材５０の筒状部５１の外形形状に対応した形状を有し、具体的には、前記軸方向に直交する幅方向の断面が円弧状に形成される。また、前記圧接面２２Ａ，２２Ｂの半径は、全長に亘って前記筒状部５１の外周半径と同程度に設定される。これにより、前記圧接面２２Ａ，２２Ｂは、断面円形状を有する筒状部５１に密接し得る。そして、前記圧接面２２Ａ，２２Ｂ同士は、前記筒状部５１が挟持される空間を有して対向する。
【００２３】
なお、第一ガイド部材１０Ａの挟持体２０Ａの圧接面２２Ａは、約１８０度の角度範囲に亘って形成されるが、第二ガイド部材１０Ｂの挟持体２０Ｂの圧接面２２Ｂは、１８０度よりも小さい角度範囲に亘って形成される。従って、前記各圧接面２２Ａ，２２Ｂは、挟持体２０Ａ及び挟持体２０Ｂを合わせても一周分よりも少ない角度となる。このため、前記筒状部５１を挟持した状態でも前記各圧接面２２Ａ，２２Ｂの端縁同士は接触しない。
【００２４】
また、前記各挟持体２０Ａ，２０Ｂには、前記絶縁操作棒７０の各あご７１，７２が嵌合すべく、各あご７１，７２に対応した形状の嵌合溝２３Ａ，２３Ｂが外周に形成される（図４（Ａ）及び（Ｂ）参照）。具体的には、第一ガイド部材１０Ａの挟持体２０Ａが有する嵌合溝２３Ａは、固定あご７１に対応して底が曲面状に形成され、第二ガイド部材１０Ｂの挟持体２０Ｂが有する嵌合溝２３Ｂは、可動あご７２に対応して底が平面状に形成される。また、各嵌合溝２３Ａ，２３Ｂを構成する壁部には、前記各あご７１，７２に確実に固定されるべく、各あご７１，７２の側面に圧接するボルトが設けられる。
【００２５】
一方、前記ガイド体３０，３０は、前記一対のガイド部材１０Ａ，１０Ｂを対向させた際に互いに対向する部分（以下、対向部分）３１Ａ，３１Ｂにガイド溝３２Ａ，３２Ｂを有する。該ガイド溝３２Ａ，３２Ｂは、ガイド体３０Ａ，３０Ｂの一端側から他端側にかけて設けられ、また、前記ガイド体３０Ａ，３０Ｂの対向部分３１Ａ，３１Ｂにおける前記軸方向に直交する幅方向の中央部に設けられる。そして、前記ガイド体３０Ａ，３０Ｂは、前記対向部分３１Ａ，３１Ｂにおける前記ガイド溝３２Ａ，３２Ｂの両側の部位３４Ａ，３４Ｂが平坦に形成される。該両側の部位３４Ａ，３４Ｂ同士は、前記筒状部５１を挟持した際に当接し得る。さらに、ガイド体３０は、少なくとも他端側の部位（即ち、前記筒状部５１の端部開口５２の近傍部位）が透明に形成される。好ましくは、ガイド体３０Ａ，３０Ｂは、樹脂等の透明の素材によって成形される。
【００２６】
また、前記ガイド溝３２Ａ，３２Ｂは、一端側から他端側にかけて狭まるテーパー形状を有する。そして、前記ガイド溝３２Ａ，３２Ｂは、前記軸方向に直交する幅方向の断面が円弧状に形成され、具体的には、約１８０度の角度範囲に亘る半円弧状を有する（図４（Ｅ）及び（Ｆ）参照）。さらに、前記ガイド溝３２Ａ，３２Ｂの他端部の半径は、前記筒状部５１の外周半径よりも小さく形成され、好ましくは、前記筒状部５１の電線収容部５５の内周半径よりも大きく形成される。ところで、前記ガイド溝３２Ａ，３２Ｂの他端部には、半径が所定長さに亘って一定の部位が形成される。
【００２７】
前記電線ガイド面３３は、かかるガイド溝３２Ａ，３２Ｂによって構成されるものであり、具体的には、ガイド溝３２Ａ，３２Ｂ同士の端縁部が一繋がりとなるように連なった態様で構成される。また、前記ガイド溝３２Ａ，３２Ｂがテーパー形状を有することから、電線ガイド面３３も前記ガイド体３０Ａ，３０Ｂの一端側から他端側に向かって狭まる態様のテーパー形状となる。そして、上述のように、前記ガイド溝３２Ａ，３２Ｂの他端部の半径が前記筒状部の外周半径よりも小さく形成されることから、一体となって形成される電線ガイド面３３の他端部の半径も前記筒状部５１の外周半径よりも小さいものとなる。
【００２８】
ところで、前記電線ガイド面３３は、各ガイド体３０Ａ，３０Ｂが一体となった状態を見れば、電線挿入作業用具１の一端側の内部に形成される態様となる。そして、前記電線ガイド面３３によって画定されるテーパー形状の内部空間が前記一対の圧接面２２Ａ，２２Ｂの間に形成される空間と連通する。
【００２９】
また、前記第一ガイド部材１０Ａのガイド体３０Ａは、第二ガイド部材１０Ｂのガイド体３０Ｂよりも前記軸方向寸法が長く形成される。このため、前記電線ガイド面３３は、一部が前記筒状部５１の軸方向に沿って前記端部開口５２から離間するように突出する状態となる。具体的には、前記電線ガイド面３３は、他端側が前記軸周りの全周に亘って連続した完全なテーパー形状であり、一端側が軸周りの所定角度に亘って設けられた不完全なテーパー形状となる。また、電線挿入作業用具１の全体として見れば、前記ガイド体３０Ａ，３０Ｂによって構成される一端側は、一部が切り欠かれた形状となる。
【００３０】
さらに、前記第一ガイド部材１０Ａは、挟持体２０Ａの前記対向部分２１Ａ及びガイド体３０Ａの前記対向部分２１Ａが同一面上となるように連結される。一方、第二ガイド部材１０Ｂは、ガイド体３０Ｂの対向部分３１Ｂが挟持体２０Ｂの対向部分２１Ｂよりも突出した位置となるように連結される。このため、前記ガイド体３０Ａ，３０Ｂ同士は、前記筒状部５１を挟持した際に、前記両側の部位３４Ａ，３４Ｂ同士が当接して前記ガイド溝３２Ａ，３２Ｂ同士が連続する状態が実現される。
【００３１】
また、前記挟持体２０Ａ，２０Ｂ及びガイド体３０Ａ，３０Ｂは、前記圧接面２２Ａ，２２Ｂ及びガイド溝３２Ａ，３２Ｂの円弧の中心が同一軸線上となるように連結される。これに伴って、前記圧接面２２Ａ，２２Ｂ及びガイド溝３２Ａ，３２Ｂの円弧の中心軸線は、前記挟持体２０Ａ，２０Ｂに挟持される筒状部５１の軸線とも一致することとなる。従って、前記筒状部５１が挟持された状態で電線ガイド面３３が前記端部開口５２に向かって電線をガイド可能な状態が実現される。
【００３２】
また、ガイド溝３２Ａ，３２Ｂの他端部の半径が圧接面２２Ａ，２２Ｂの半径よりも小さいことから、挟持体２０Ａ，２０Ｂ及びガイド体３０Ａ，３０Ｂの接合部分においては、圧接面２２Ａ，２２Ｂの端縁がガイド溝３２Ａ，３２Ｂの端縁を囲んだ状態となる。即ち、ガイド溝３２Ａ，３２Ｂの端縁は、圧接面２２Ａ，２２Ｂの端縁よりも径方向内側に突出して形成され、具体的には、筒状部５１の周端縁部の厚さと同等以上に突出する。従って、前記筒状部５１は、前記圧接面２２Ａ，２２Ｂ側に露出するガイド体３０Ａ，３０Ｂの端面に当接する位置まで前進した状態で挟持される。
【００３３】
次に、上記構成からなる電線挿入作業用具１によって電線Ｌが電線接続部材５０の筒状部５１に挿入される様子を説明する。電線Ｌを電線ガイド面３３の露出した一端部（具体的には、ガイド溝３２Ａ）に当接した状態から他端側にスライドさせると、電線Ｌは、電線ガイド面３３に沿って変位し、ガイド溝３２Ａ，３２Ｂによって構成される全周が包囲された電線ガイド面３３の他端部に到達する。このとき、端部がばらけた電線Ｌは、電線ガイド面３３によって先細りな状態に規制される。さらに電線Ｌを他端側に変位させると、電線Ｌは、筒状部５１の端部開口５２に突入し、前記テーパー部５４に当接する。そして、さらに他端側に変位させると、前記電線Ｌは前記テーパー部５４を通過して電線収容部５５に到達する。
【００３４】
以上のように、本実施形態に係る電線挿入作業用具１によれば、前記電線ガイド面３３によって電線Ｌが筒状部５１の端部開口５２に向けてガイドされるため、電線Ｌと前記筒状部５１の端部開口５２との位置を合わせるのが容易となる。従って、間接活線工法であっても、電線接続部材５０に設けられる筒状部５１内に電線Ｌを容易に挿入でき、作業性を向上させることができる。
【００３５】
また、前記電線ガイド部３５は、前記筒状部５１の端部開口５２に向かって狭まるテーパー形状の電線ガイド面３３を有するため、電線ガイド面３３に沿わされる電線Ｌは、前記テーパー形状に従って必然的に端部開口５２に向けてガイドされることとなり、挿入作業に際しては、前記端部開口５２よりも大きく拡がった電線ガイド面３３の基端側の部位に電線Ｌをあてがえばよく、作業性がさらに向上する。
【００３６】
特に、前記電線Ｌがいわゆる縒り線である場合には、電線Ｌを切断した際に前記複数の線材がばらけるために電線Ｌの端部が本来の太さ以上に広がってしまっており、前記筒状部５１の端部開口５２に挿入するのが大変困難であるが、上記のような電線挿入作業用具１であれば、ばらけた電線Ｌの端部がテーパー形状の電線ガイド面３３によって先細りな状態に規制されるため、挿入作業が容易となる。
【００３７】
そして、前記電線ガイド部３５は、一部が前記筒状部５１の軸方向に沿って前記端部開口５２から離間するように突出するため、前記電線ガイド部３５の突出する部位が筒状部５１の側面側（即ち、挿入作業を行う場合の正面側）から視認可能となる（図３（Ｂ）参照）。従って、例えば電線Ｌが該突出部位に当接するように電線Ｌ及び電線挿入作業用具を相対的に変位させるなど、前記突出部位を目印としつつ挿入作業を行えば、前記端部開口５２を直接視認した上で電線Ｌを挿入する必要などがなくなり、作業性がより向上する。
【００３８】
しかも、前記電線ガイド部３５を構成する部材のうち少なくとも前記筒状部５１の端部開口５２の近傍部位が透明に形成されるため、前記端部開口５２の近傍部位を視認することができ、電線Ｌが前記端部開口５２に対してどの位置にあるかなど、作業状態を容易に把握することが可能となる。
【００３９】
さらに、前記各ガイド部材１０Ａ，１０Ｂは、絶縁操作棒７０の先端側に設けられる固定あご７１及び可動あご７２に着脱自在に取付可能なアダプターとして用いられ、必要に応じて種々の絶縁操作棒に取付可能となるため、電線挿入作業用具１を汎用性の高いものとすることができ、延いては、絶縁操作棒自体をも汎用性の高いものとすることができる。
【００４０】
加えて、前記第一ガイド部材１０Ａのガイド体３０Ａは前記第二ガイド部材１０Ｂのガイド体３０Ｂよりも前記軸方向寸法が長く形成されるため、電線ガイド部３５の一部が前記筒状部５１の軸方向に沿って前記端部開口５２から離間するように突出する電線挿入作業用具１を容易に作製することができる。
【００４１】
なお、本発明に係る電線挿入作業用具は、上記実施形態に限定されるものではなく、本発明の要旨を逸脱しない範囲で種々の変更が可能である。
【００４２】
例えば、上記実施形態においては、電線挿入作業用具１は、前記一対のガイド部材１０Ａ，１０Ｂをそれぞれ別々に前記一対のあご７１，７２に取り付けるものであったが、これに限定されるものではなく、例えば、一対のガイド部材同士が弾性手段によって連結され、一対のガイド部材同士が離間する方向に付勢されるものであってもよい。このようにすれば、前記弾性手段を圧縮した状態で電線挿入作業用具を前記一対のあごの間に嵌め合わせれば、弾性手段が復元しようと一対のあご７１，７２に付勢しつつ装着された状態となる。従って、上記実施形態のように、取付に際してボルト等を締め込まなくとも、電線挿入作業用具を確実且つ容易に取り付けることができる。
【００４３】
また、上記実施形態においては、電線挿入作業用具１は、絶縁操作棒７０の先端側に設けられる固定あご７１及び可動あご７２に着脱自在に取付可能なアダプターとして構成されるものとして説明したが、これに限定されるものではなく、挟持部及び電線ガイド部が先端側に一体的に組み込まれた絶縁操作棒であってもよい。即ち、この場合には、電線挿入作業用具は、該固定あご及び可動あごが挟持部となって前記筒状部５１を挟持するとともに、少なくとも固定あごに電線ガイド部が形成された絶縁操作棒として構成され得る。
【００４４】
そして、上記実施形態においては、電線挿入作業用具１は、固定あご７１及び可動あご７２の両方に取り付けられる一対のガイド部材１０Ａ，１０Ｂとして説明したが、これに限定されるものではなく、一方のあごにのみ取り付けられる単一のガイド部材であってもよい。この場合には、該ガイド部材の圧接面と他方のあごとがそれぞれ筒状部に圧接し、筒状部が挟持される状態となる。かかる構成であっても、ガイド部材の有する電線ガイド部が作業者側を向く状態に配置されれば、前記端部開口を直接視認した上で電線を挿入する必要などがなくなるため、作業性が向上する。
【００４５】
さらに、上記実施形態においては、電線挿入作業用具１は、固定あご７１及び可動あご７２の両方に取り付けられる二つのガイド部材１０Ａ，１０Ｂとして説明したが、これに限定されるものではなく、三つ以上のガイド部材によって構成されるものであってもよい。
【００４６】
また、上記実施形態においては、複数のガイド体３０Ａ，３０Ｂが一体となって電線ガイド部３５が構成されるものとして説明したが、これに限定されるものではなく、単一のガイド体によって構成されるものであってもよい。この場合には、電線ガイド部は、例えば、ガイド体の内部に形成されたテーパー形状の貫通孔の態様で設けられ得る。
【００４７】
そして、上記実施形態においては、電線ガイド面３３を構成するガイド溝３２Ａ，３２Ｂは、軸方向に直交する幅方向の断面が円弧状に形成されるものとして説明したが、これに限定されるものではなく、複数の平坦面が連続して構成される断面角形状のものであってもよい。
【００４８】
さらに、上記実施形態においては、電線ガイド部３５は、前記筒状部５１の端部開口５２に向かって狭まるテーパー形状の電線ガイド面３３を有するものとして説明したが、前記筒状部５１が挟持された状態で前記筒状部５１の端部開口５２に向かうものであれば、これに限定されるものではない。この場合には、例えば、電線ガイド部を構成するガイド溝は、一端側から他端側にかけて同一幅に形成された溝状のものであってもよい。
【００４９】
また、上記実施形態においては、前記ガイド部材１０Ａ，１０Ｂは、挟持体２０Ａ，２０Ｂ及びガイド体３０Ａ，３０Ｂが連結されて構成されるものとして説明したが、これに限定されるものではなく、一体的に形成された単一部材によって構成されるものであってもよい。
【図面の簡単な説明】
【００５０】
【図１】本発明の実施形態に係る電線挿入作業用具と、該電線挿入作業用具に挟持される電線接続部材と、前記電線挿入作業用具を用いて該電線接続部材に挿入される電線とを示す正面図。
【図２】同実施形態に係る電線挿入作業用具が取り付けられる絶縁操作棒を示す側面図。
【図３】同実施形態に係る電線挿入作業用具が電線接続部材の前記筒状部を挟持した状態を示す図であって、（Ａ）は、正面図を示し、（Ｂ）は、底面図を示し、（Ｃ）は、側面図を示す。
【図４】同実施形態に係る電線挿入作業用具を構成するガイド部材を示す図であって、（Ａ），（Ｂ）は、それぞれ第一ガイド部材、第二ガイド部材の正面図を示し、（Ｃ），（Ｄ）は、それぞれ第一ガイド部材、第二ガイド部材の底面図を示し、（Ｅ），（Ｆ）は、それぞれ第一ガイド部材、第二ガイド部材の側面図を示す。
【符号の説明】
【００５１】
１…電線挿入作業用具、１０（１０Ａ，１０Ｂ）…ガイド部材（第一ガイド部材、第二ガイド部材）、２０（２０Ａ，２０Ｂ）…挟持体、２１Ａ，２１Ｂ…対向部分、２２（２２Ａ，２２Ｂ）…圧接面、２３Ａ，２３Ｂ…嵌合溝、２４（２４Ａ，２４Ｂ）…挟持部、３０（３０Ａ，３０Ｂ）…ガイド体、３１Ａ，３１Ｂ…対向部分、３２Ａ，３２Ｂ…ガイド溝、３３…電線ガイド面、３４Ａ，３４Ｂ…両側の部位、３５（３５Ａ，３５Ｂ）…電線ガイド部、５０…電線接続部材、５１…筒状部、５２…端部開口、５３…開口端面、５４…テーパー部、５５…電線収容部、７０…絶縁操作棒、Ｌ…電線
【図１】
0005089302.tif 000002
【図２】
0005089302.tif 000003
【図３】
0005089302.tif 000004
【図４】
0005089302.tif 000005